(57)【要約】【課題】メッセージを投稿する各端末装置の利用者の負担を過度に増加させずにコンテンツの利用を促進する。【解決手段】端末装置１６は、利用者からの指示に応じて設定された投稿メッセージＭを管理装置１０に送信する。管理装置１０の取得部５１は、端末装置１６から投稿メッセージＭを取得する。抽出部５２は、取得部５１が取得した投稿メッセージＭから単語Ｗを抽出し、情報特定部５３は、各単語Ｗと各楽曲情報Ｑとを関連付ける関連情報Ｒを参照することで、抽出部５２が抽出した単語Ｗに対応する楽曲情報Ｑを特定する。情報送信部５４は、情報特定部５３が特定した楽曲情報Ｑを端末装置１６に送信する。端末装置１６は、管理装置１０が特定した楽曲情報Ｑと投稿メッセージＭとを含む投稿情報Ｃを投稿管理装置１４に送信する。【選択図】図１
2014032520.tif 000002
【特許請求の範囲】
【請求項１】
投稿管理装置が取得して閲覧可能に提供する投稿情報内のメッセージを利用者からの指示に応じて設定する端末装置と通信する管理装置であって、
前記端末装置にて設定されたメッセージ内の単語に対応した楽曲情報を、当該端末装置からの投稿情報に含められる情報として特定する情報特定部
を具備する管理装置。
【請求項２】
前記情報特定部は、各単語と各楽曲情報とを関連付ける関連情報を参照することで、前記メッセージ内の単語に対応した楽曲情報を特定する
請求項１の管理装置。
【請求項３】
前記情報特定部は、前記関連情報から複数の楽曲情報が特定される場合に、前記複数の楽曲情報から何れかの楽曲情報を選択する
請求項２の管理装置。
【請求項４】
前記端末装置に対する利用者からの指示に応じて設定されたメッセージを当該端末装置から取得する取得部と、
前記取得部が取得したメッセージから単語を抽出する抽出部とを具備し、
前記情報特定部は、前記抽出部が抽出した単語に対応する楽曲情報を特定する
請求項１から請求項３の何れかの管理装置。
【請求項５】
前記情報特定部が特定した楽曲情報を前記端末装置に送信する情報送信部
を具備する請求項１から請求項４の何れかの管理装置。
【請求項６】
前記情報特定部は、前記情報送信部が送信した第１楽曲情報の変更が端末装置から要求された場合に、前記第１楽曲情報とは相違する第２楽曲情報を特定し、
前記情報送信部は、前記第２楽曲情報を前記端末装置に送信する
請求項５の管理装置。
【請求項７】
投稿情報を取得して閲覧可能に提供する投稿管理装置と楽曲情報を提供する管理装置との各々と通信する端末装置であって、
利用者からの指示に応じてメッセージを設定する設定部と、
前記設定部が設定したメッセージ内の単語に対応した楽曲情報を前記管理装置から取得する情報取得部と、
前記設定部が設定したメッセージと前記情報取得部が取得した楽曲情報とを前記投稿情報に含めて前記投稿管理装置に送信する送信部と
を具備する端末装置。
【請求項８】
前記送信部は、前記情報取得部が取得した第１楽曲情報の変更を利用者からの指示に応じて前記管理装置に要求し、
前記情報取得部は、前記第１楽曲情報とは相違する第２楽曲情報を前記管理装置から取得する
請求項７の端末装置。
【請求項９】
前記情報取得部は、前記設定部が設定したメッセージ内の単語に対応した複数の楽曲情報を前記管理装置から取得した場合に、前記複数の楽曲情報の何れかを利用者からの指示に応じて選択する
請求項７の端末装置。
【請求項１０】
前記情報取得部は、前記設定部が設定したメッセージ内の単語に対応した複数の楽曲情報を前記管理装置から取得した場合に、前記複数の楽曲情報の何れかを所定の方法で選択する
請求項７の端末装置。
【請求項１１】
前記情報取得部は、選択済の第１楽曲情報の変更が利用者から指示された場合に、前記第１楽曲情報とは相違する第２楽曲情報を選択する
請求項９または請求項１０の端末装置。
【請求項１２】
前記送信部は、前記メッセージの文字数または前記メッセージと前記楽曲情報との合計の文字数が所定値を上回る場合に、前記メッセージを含む投稿情報と前記楽曲情報を含む投稿情報とを順次に前記投稿管理装置に送信する
請求項７の端末装置。
【請求項１３】
楽曲を再生する再生部と、
前記再生部が再生する楽曲の楽曲情報に対応する投稿情報を前記投稿管理装置から取得する投稿取得部と、
前記投稿取得部が取得した投稿情報を表示装置に表示させる表示制御部と
を具備する請求項７から請求項１２の何れかの端末装置。
【請求項１４】
投稿管理装置が取得して閲覧可能に提供する投稿情報内のメッセージを利用者からの指示に応じて設定する端末装置と通信するコンピュータに、
前記端末装置にて設定されたメッセージ内の単語に対応した楽曲情報を、当該端末装置からの投稿情報に含められる情報として特定する情報特定処理
を実行させるプログラム。
【請求項１５】
投稿情報を取得して閲覧可能に提供する投稿管理装置と楽曲情報を提供する管理装置との各々と通信するコンピュータに、
利用者からの指示に応じてメッセージを設定する設定処理と、
前記設定処理で設定したメッセージ内の単語に対応した楽曲情報を前記管理装置から取得する情報取得処理と、
前記設定処理で設定したメッセージと前記情報取得処理で取得した楽曲情報とを前記投稿情報に含めて前記投稿管理装置に送信する送信処理と
を実行させるプログラム。
【請求項１６】
投稿管理装置が取得して閲覧可能に提供する投稿情報内のメッセージを利用者からの指示に応じて設定する端末装置と通信する管理装置が、
前記端末装置にて設定されたメッセージ内の単語に対応した楽曲情報を、当該端末装置からの投稿情報に含められる情報として特定する
楽曲情報管理方法。
【請求項１７】
投稿情報を取得して閲覧可能に提供する投稿管理装置と楽曲情報を提供する管理装置との各々と通信する端末装置が、
利用者からの指示に応じてメッセージを設定し、
前記設定したメッセージ内の単語に対応した楽曲情報を前記管理装置から取得し、
前記設定したメッセージと前記取得した楽曲情報とを前記投稿情報に含めて前記投稿管理装置に送信する
端末装置の制御方法。
【発明の詳細な説明】
【技術分野】
【０００１】
本発明は、楽曲等のコンテンツに関する情報を提供する技術に関する。
【背景技術】
【０００２】
音楽や動画像等の各種のコンテンツを端末装置に配信する技術が従来から提案されている。例えば特許文献１や特許文献２には、利用者の所望の楽曲の音楽データを端末装置に配信する技術が開示されている。
【先行技術文献】
【特許文献】
【０００３】
【特許文献１】特開２００５−３１００６５号公報
【特許文献２】特開２００４−０５３７５５号公報
【発明の概要】
【発明が解決しようとする課題】
【０００４】
ところで、各端末装置から投稿されたメッセージを他の端末装置の利用者に閲覧させる投稿サービスがＳＮＳ（Social Networking Service）として提供されている。所望のコンテンツに関連する情報（例えば楽曲の楽曲名や歌手名等）を各利用者がメッセージに含ませて各端末装置から投稿すれば、多数の利用者がそのメッセージを閲覧することでコンテンツの利用が促進される。しかし、コンテンツに関連する情報をメッセージに含ませる負担を各利用者に要求することは現実的ではないから、投稿サービスをコンテンツの利用の促進に応用することは実際には困難である。以上の事情を考慮して、本発明は、各端末装置の利用者の負担を過度に増加させずにコンテンツの利用を促進することを目的とする。
【課題を解決するための手段】
【０００５】
以上の課題を解決するために本発明が採用する手段を以下に説明する。なお、本発明の理解を容易にするために以下では図面の参照符号を便宜的に括弧書で付記するが、本発明を図示の形態に限定する趣旨ではない。
【０００６】
本発明に係る管理装置（１０）は、投稿管理装置（１４）が取得して閲覧可能に提供する投稿情報（Ｃ）内のメッセージ（Ｍ）を利用者からの指示に応じて設定する端末装置（１６）と通信する管理装置（１０）であって、前記端末装置（１６）にて設定されたメッセージ（Ｍ）内の単語（Ｗ）に対応した楽曲情報（Ｑ）を、当該端末装置（１６）からの投稿情報（Ｃ）に含められる情報として特定する情報特定部（５３）を具備する。
【０００７】
本発明に係る管理装置（１０）の好適な態様において、前記情報特定部（５３）は、各単語（Ｗ）と各楽曲情報（Ｑ）とを関連付ける関連情報（Ｒ）を参照することで、前記メッセージ（Ｍ）内の単語（Ｗ）に対応した楽曲情報（Ｑ）を特定する。さらに好適な態様において、前記情報特定部（５３）は、前記関連情報（Ｒ）から複数の楽曲情報（Ｑ）が特定される場合に、前記複数の楽曲情報（Ｑ）から何れかの楽曲情報（Ｑ）を選択する。
【０００８】
本発明に係る管理装置（１０）は、前記端末装置（１６）に対する利用者からの指示に応じて設定されたメッセージ（Ｍ）を当該端末装置（１６）から取得する取得部（５１）と、前記取得部（５１）が取得したメッセージ（Ｍ）から単語（Ｗ）を抽出する抽出部（５２）とを具備し、前記情報特定部（５３）は、前記抽出部（５２）が抽出した単語（Ｗ）に対応する楽曲情報（Ｑ）を特定する。なお、メッセージ（Ｍ）から単語（Ｗ）を抽出する抽出部（３７）が端末装置（１６）に設置された構成では、管理装置（１０）は、前記端末装置（１６）にてメッセージ（Ｍ）から抽出された単語（Ｗ）を当該端末装置（１６）から取得する取得部（５１）を具備し、前記情報特定部（５３）は、前記取得部（５１）が取得した単語（Ｗ）に対応する楽曲情報（Ｑ）を特定する。
【０００９】
本発明の好適な態様に係る管理装置（１０）は、前記情報特定部（５３）が特定した楽曲情報（Ｑ）を前記端末装置（１６）に送信する情報送信部（５４）を具備する。さらに好適な態様において、前記情報特定部（５３）は、前記情報送信部（５４）が送信した第１楽曲情報（Ｑ1）の変更が端末装置（１６）から要求された場合に、前記第１楽曲情報（Ｑ1）とは相違する第２楽曲情報（Ｑ2）を特定し、前記情報送信部（５４）は、前記第２楽曲情報（Ｑ2）を前記端末装置（１６）に送信する。なお、以上の態様のように楽曲情報（Ｑ）が管理装置（１０）から端末装置（１６）に送信される構成では、楽曲情報（Ｑ）を含む投稿情報（Ｃ）を端末装置（１６）から投稿管理装置（１４）に送信する構成が好適であるが、楽曲情報（Ｑ）を管理装置（１０）から端末装置（１６）に送信せずに、楽曲情報（Ｑ）とメッセージ（Ｍ）とを含む投稿情報（Ｃ）を管理装置（１０）の情報送信部（５４）から投稿管理装置（１４）に送信する構成も本発明の範囲に包含される。
【００１０】
本発明に係る端末装置（１６）は、投稿情報（Ｃ）を取得して閲覧可能に提供する投稿管理装置（１４）と楽曲情報（Ｑ）を提供する管理装置（１０）との各々と通信する端末装置（１６）であって、利用者からの指示に応じてメッセージ（Ｍ）を設定する設定部（３１）と、前記設定部（３１）が設定したメッセージ（Ｍ）内の単語（Ｗ）に対応した楽曲情報（Ｑ）を前記管理装置（１０）から取得する情報取得部（３２）と、前記設定部（３１）が設定したメッセージ（Ｍ）と前記情報取得部（３２）が取得した楽曲情報（Ｑ）とを前記投稿情報（Ｃ）に含めて前記投稿管理装置（１４）に送信する送信部（３３）とを具備する。
【００１１】
本発明に係る端末装置の好適な態様において、前記送信部（３３）は、前記情報取得部（３２）が取得した第１楽曲情報（Ｑ1）の変更を利用者からの指示に応じて前記管理装置（１０）に要求し、前記情報取得部（３２）は、前記第１楽曲情報（Ｑ1）とは相違する第２楽曲情報（Ｑ2）を前記管理装置（１０）から取得する。
【００１２】
本発明に係る端末装置（１６）の好適な態様において、前記情報取得部（３２）は、前記設定部（３１）が設定したメッセージ（Ｍ）内の単語（Ｗ）に対応した複数の楽曲情報（Ｑ）を前記管理装置（１０）から取得した場合に、前記複数の楽曲情報（Ｑ）の何れかを利用者からの指示に応じて選択する。さらに好適な態様において、前記情報取得部（３２）は、選択済の第１楽曲情報（Ｑ1）の変更が利用者から指示された場合に、前記第１楽曲情報（Ｑ1）とは相違する第２楽曲情報（Ｑ2）を選択する。
【００１３】
本発明に係る端末装置（１６）の好適な態様において、前記情報取得部（３２）は、前記設定部（３１）が設定したメッセージ（Ｍ）内の単語（Ｗ）に対応した複数の楽曲情報（Ｑ）を前記管理装置（１０）から取得した場合に、前記複数の楽曲情報（Ｑ）の何れかを所定の方法で選択する。例えば、情報取得部（３２）は、複数の楽曲情報（Ｑ）の何れかをランダムに選択する。さらに好適な態様において、前記情報取得部（３２）は、選択済の第１楽曲情報（Ｑ1）の変更が利用者から指示された場合に、前記第１楽曲情報（Ｑ1）とは相違する第２楽曲情報（Ｑ2）を選択する。
【００１４】
本発明に係る端末装置（１６）の好適な態様において、前記送信部（３３）は、前記メッセージ（Ｍ）の文字数または前記メッセージ（Ｍ）と前記楽曲情報（Ｑ）との合計の文字数（ＮC）が所定値（Ｎ）を上回る場合に、前記メッセージ（Ｍ）を含む投稿情報（Ｃ）と前記楽曲情報（Ｑ）を含む投稿情報（Ｃ）とを順次に前記投稿管理装置（１４）に送信する。
【００１５】
本発明の好適な態様に係る端末装置（１６）は、楽曲を再生する再生部（３５）と、前記再生部（３５）が再生する楽曲の楽曲情報（Ｑ）に対応する投稿情報（Ｃ）を前記投稿管理装置（１４）から取得する投稿取得部（３４）と、前記投稿取得部（３４）が取得した投稿情報（Ｃ）を表示装置（２４）に表示させる表示制御部（３６）とを具備する。
【００１６】
本発明は、前述の各態様に係る管理装置（１０）としてコンピュータを機能させるためのプログラムとしても特定される。本発明に係るプログラム（ＰS）は、投稿管理装置（１４）が取得して閲覧可能に提供する投稿情報（Ｃ）内のメッセージ（Ｍ）を利用者からの指示に応じて設定する端末装置（１６）と通信するコンピュータに、前記端末装置（１６）にて設定されたメッセージ（Ｍ）内の単語（Ｗ）に対応した楽曲情報（Ｑ）を、当該端末装置（１６）からの投稿情報（Ｃ）に含められる情報として特定する情報特定処理（Ｓ3）を実行させる。
【００１７】
また、本発明は、前述の各態様に係る端末装置（１６）としてコンピュータを機能させるためのプログラムとしても特定される。本発明に係るプログラム（ＰT）は、投稿情報（Ｃ）を取得して閲覧可能に提供する投稿管理装置（１４）と楽曲情報（Ｑ）を提供する管理装置（１０）との各々と通信するコンピュータに、利用者からの指示に応じてメッセージ（Ｍ）を設定する設定処理（Ｔ2）と、前記設定処理（Ｔ2）で設定したメッセージ（Ｍ）内の単語（Ｗ）に対応した楽曲情報（Ｑ）を前記管理装置（１０）から取得する情報取得処理（Ｔ4）と、前記設定処理（Ｔ2）で設定したメッセージ（Ｍ）と前記情報取得処理（Ｔ4）で取得した楽曲情報（Ｑ）とを前記投稿情報（Ｃ）に含めて前記投稿管理装置（１４）に送信する送信処理（Ｔ9）とを実行させる。
【００１８】
以上の各態様に係るプログラムは、コンピュータが読取可能な記録媒体に格納された形態で提供されてコンピュータにインストールされるほか、通信網（１８）を介した配信の形態で提供されてコンピュータにインストールされる。
【００１９】
本発明は、楽曲情報（Ｑ）の管理方法としても特定される。本発明に係る楽曲情報管理方法は、投稿管理装置（１４）が取得して閲覧可能に提供する投稿情報（Ｃ）内のメッセージ（Ｍ）を利用者からの指示に応じて設定する端末装置（１６）と通信する管理装置（１０）が、前記端末装置（１６）にて設定されたメッセージ（Ｍ）内の単語（Ｗ）に対応した楽曲情報（Ｑ）を、当該端末装置（１６）からの投稿情報（Ｃ）に含められる情報として特定する。
【００２０】
本発明は、端末装置（１６）の制御方法としても特定される。本発明に係る端末装置（１６）の制御方法は、投稿情報（Ｃ）を取得して閲覧可能に提供する投稿管理装置（１４）と楽曲情報（Ｑ）を提供する管理装置（１０）との各々と通信する端末装置（１６）が、利用者からの指示に応じてメッセージ（Ｍ）を設定し、前記設定したメッセージ（Ｍ）内の単語（Ｗ）に対応した楽曲情報（Ｑ）を前記管理装置（１０）から取得し、前記設定したメッセージ（Ｍ）と前記取得した楽曲情報（Ｑ）とを前記投稿情報（Ｃ）に含めて前記投稿管理装置（１４）に送信する。
【００２１】
また、本発明の別の態様に係る管理装置（１０）は、投稿管理装置（１４）が取得して閲覧可能に提供する投稿情報（Ｃ）内のメッセージ（Ｍ）を利用者からの指示に応じて設定する端末装置（１６）と通信する管理装置（１０）であって、前記端末装置（１６）にて設定されたメッセージ（Ｍ）内の単語（Ｗ）に対応したコンテンツ情報（Ｑ）を、当該端末装置（１６）からの投稿情報（Ｃ）に含められる情報として特定する情報特定部（５３）を具備する。
【００２２】
また、本発明の別の態様に係る端末装置（１６）は、投稿情報（Ｃ）を取得して閲覧可能に提供する投稿管理装置（１４）とコンテンツ情報（Ｑ）を提供する管理装置（１０）との各々と通信する端末装置（１６）であって、利用者からの指示に応じてメッセージ（Ｍ）を設定する設定部（３１）と、前記設定部（３１）が設定したメッセージ（Ｍ）内の単語（Ｗ）に対応したコンテンツ情報（Ｑ）を前記管理装置（１０）から取得する情報取得部（３２）と、前記設定部（３１）が設定したメッセージ（Ｍ）と前記情報取得部（３２）が取得した楽曲情報（Ｑ）とを前記投稿情報（Ｃ）に含めて前記投稿管理装置（１４）に送信する送信部（３３）とを具備する。
【図面の簡単な説明】
【００２３】
【図１】本発明の第１実施形態に係る通信システムのブロック図である。
【図２】端末装置のブロック図である。
【図３】管理装置のブロック図である。
【図４】関連情報の模式図である。
【図５】端末装置と管理装置の動作の説明図である。
【図６】投稿画面の模式図である。
【図７】確認画面の模式図である。
【図８】閲覧画面の模式図である。
【図９】第２実施形態の動作の説明図である。
【図１０】第３実施形態における端末装置の動作の説明図である。
【図１１】第４実施形態の動作の説明図である。
【図１２】変形例における端末装置および管理装置のブロック図である。
【発明を実施するための形態】
【００２４】
＜第１実施形態＞
図１は、本発明の第１実施形態に係る通信システム１００のブロック図である。第１実施形態の通信システム１００は、管理装置１０と配信装置１２と投稿管理装置１４と複数の端末装置１６とを具備する。各端末装置１６は、例えば携帯電話機やスマートフォン等の通信端末であり、通信網（例えば移動通信網やインターネット）１８を介して管理装置１０、配信装置１２および投稿管理装置１４の各々と相互に通信する。
【００２５】
配信装置１２は、各端末装置１６から要求された音楽データＤを要求元の端末装置１６に送信するサーバ装置（例えばウェブサーバ）である。音楽データＤは、歌唱曲等の各種の楽曲の音響を再生するためのファイルである。音楽データＤの形式は任意であるが、例えばＭＰ３（MPEG Audio Layer 3）形式やＡＡＣ（Advanced Audio Coding）形式のファイルが音楽データＤとして好適である。なお、配信装置１２の機能を管理装置１０に搭載した構成や配信装置１２を複数の装置（仮想的な１個のサーバ装置）に分散した構成も採用され得る。
【００２６】
投稿管理装置１４は、投稿サービスを各端末装置１６に提供するサーバ装置（例えばＳＮＳ提供用のウェブサーバ）である。投稿サービスは、各端末装置１６の利用者がメッセージを投稿するとともに他の利用者がメッセージを閲覧するサービスである。具体的には、投稿管理装置１４は、各端末装置１６から送信された投稿情報Ｃを受信して投稿時刻とともに記憶装置（図示略）に記憶するとともに、各端末装置１６からの要求に応じた投稿情報Ｃを記憶装置から検索して要求元の端末装置１６に閲覧可能に提供する。なお、投稿管理装置１４の機能を管理装置１０に搭載した構成や投稿管理装置１４を複数の装置（仮想的な１個のサーバ装置）に分散した構成も採用され得る。
【００２７】
投稿管理装置１４が管理する投稿情報Ｃに関連して端末装置１６と管理装置１０とが実行する動作の概要を以下に説明する。端末装置１６は、利用者からの指示に応じて設定した投稿メッセージＭを管理装置１０に送信する（Ｓ1）。投稿メッセージＭは、任意の１個以上の単語を含んで構成される。管理装置１０は、端末装置１６から受信した投稿メッセージＭ内の単語に関連する楽曲の情報（以下「楽曲情報」という）Ｑを特定して端末装置１６に送信する（Ｓ2）。端末装置１６は、管理装置１０から受信した楽曲情報Ｑと利用者からの指示に応じて設定した投稿メッセージＭとを含む投稿情報Ｃを投稿管理装置１４に送信する（Ｓ3）。したがって、投稿メッセージＭに関連する楽曲情報Ｑをその投稿メッセージＭに付加した投稿情報Ｃが投稿管理装置１４に記憶されて各端末装置１６の利用者に閲覧される。
【００２８】
図２は、各端末装置１６のブロック図である。図２に示すように、端末装置１６は、制御装置２１と記憶装置２２と通信装置２３と表示装置２４と入力装置２５と放音装置２６とを含んで構成される。制御装置２１は、端末装置１６の各要素を統括的に制御する演算処理装置である。記憶装置２２は、制御装置２１が実行するプログラムＰTや制御装置２１が使用する各種のデータを記憶する。例えば記憶装置２２は、配信装置１２から配信された音楽データＤを記憶する。通信装置２３は、通信網１８を介して管理装置１０、配信装置１２および投稿管理装置１４の各々と通信する。なお、端末装置１６と通信網１８との間の通信は典型的には無線通信であるが、例えば据置型のパーソナルコンピュータ等を端末装置１６として利用する場合には端末装置１６と通信網１８とが有線通信することも可能である。
【００２９】
表示装置２４（例えば液晶表示パネル）は、制御装置２１による制御のもとで各種の画像を表示する。入力装置２５は、端末装置１６に対する指示を利用者が入力するための機器であり、例えば利用者が操作する複数の操作子を含んで構成される。なお、表示装置２４と一体に構成されたタッチパネルや、端末装置１６に対する指示を音声で入力するためのマイクロホンを入力装置２５として採用することも可能である。放音装置２６（スピーカやイヤホン出力）は、制御装置２１から指示された音響を再生または出力する。
【００３０】
図２に示すように、端末装置１６の制御装置２１は、記憶装置２２に記憶されたプログラムＰTを実行することで、投稿情報Ｃの生成および投稿のための複数の機能（設定部３１，情報取得部３２，送信部３３，投稿取得部３４，再生部３５，表示制御部３６）を実現する。プログラムＰTは、音楽データＤの再生用のアプリケーションソフトウェア（音楽プレイヤ）であり、ネイティブ型のソフトウェアとして事前に端末装置１６にダウンロードされて記憶装置２２に記憶される。
【００３１】
設定部３１は、入力装置２５に対する利用者からの指示に応じて投稿メッセージＭを設定する。情報取得部３２は、設定部３１が設定した投稿メッセージＭに応じて管理装置１０が特定した楽曲情報Ｑを管理装置１０から通信装置２３を介して取得する。送信部３３は、設定部３１が設定した投稿メッセージＭを通信装置２３から管理装置１０に送信し（図１のステップＳ1）、設定部３１が設定した投稿メッセージＭと情報取得部３２が取得した楽曲情報Ｑとを含む投稿情報Ｃを通信装置２３から投稿管理装置１４に送信する（図１のステップＳ3）。
【００３２】
図２の再生部３５は、記憶装置２２に記憶された複数の音楽データＤのうち利用者が入力装置２５に対する操作で選択した音楽データＤが示す楽曲の音響を放音装置２６から再生する。投稿取得部３４は、入力装置２５に対する利用者からの指示に応じた投稿情報Ｃを投稿管理装置１４から取得する。表示制御部３６は、利用者に提示される各種の画像を表示装置２４に表示させる。例えば表示制御部３６は、投稿情報Ｃの生成時に利用者が投稿内容を編集または確認するための画像（後述の投稿画面ＧAおよび確認画面ＧB）や、投稿取得部３４が投稿管理装置１４から取得した投稿情報Ｃを利用者が閲覧するための画像（後述の閲覧画面ＧC）を表示装置２４に表示させる。
【００３３】
図１の管理装置１０は、端末装置１６にて設定された投稿メッセージＭに対応する楽曲情報Ｑを特定して端末装置１６に提供するサーバ装置（アプリケーションサーバ）である。なお、管理装置１０を複数の装置（仮想的な１個のサーバ装置）に分散した構成も採用され得る。図３は、管理装置１０のブロック図である。図３に示すように、管理装置１０は、制御装置４１と記憶装置４２と通信装置４３とを含んで構成される。制御装置４１は、管理装置１０を統括的に制御する演算処理装置である。通信装置４３は、通信網１８を介して各端末装置１６と通信する。
【００３４】
記憶装置４２は、制御装置４１が実行するプログラムＰSや制御装置４１が使用する各種のデータを記憶する。例えば半導体記録媒体や磁気記録媒体等の公知の記録媒体または複数種の記録媒体の組合せが記憶装置４２として採用され得る。なお、管理装置１０とは別個の外部装置（例えばサーバ装置）に記憶装置４２を設置し、管理装置１０が通信網１８を介して記憶装置４２内の情報を外部装置から取得する構成も採用され得る。すなわち、記憶装置４２は管理装置１０の必須の要件ではない。また、例えば相互に独立した複数の記憶回路（例えば地理的に相異なる位置に設置された複数のサーバ装置）で記憶装置４２（仮想的な１個の記憶装置）を構成することも可能である。
【００３５】
第１実施形態の記憶装置４２は、端末装置１６が設定した投稿メッセージＭから楽曲情報Ｑを特定するための関連情報Ｒを記憶する。関連情報Ｒは、図４に示すように、投稿メッセージＭ内に含まれ得る各単語Ｗと各楽曲の楽曲情報Ｑとを関連付けるデータテーブルである。各単語Ｗに対して観念的に適合または関連する楽曲（例えば多数の利用者が各単語Ｗから連想する楽曲）の楽曲情報Ｑが関連情報Ｒにてその単語Ｗに関連付けられる。１個の楽曲には１個以上の単語Ｗが関連付けられる。例えば、「海岸」や「ビーチ」、「海」等の単語Ｗには「海岸物語」という楽曲の楽曲情報Ｑが関連付けられ、「会いたい」や「恋しい」等の単語Ｗには「会いたくて」という楽曲の楽曲情報Ｑが関連付けられる。１個の単語Ｗが複数の楽曲情報Ｑに重複して関連付けられる場合もある。
【００３６】
図４に示すように、楽曲情報Ｑは、属性情報ＱAと配信情報ＱBとを含んで構成される。属性情報ＱAは、楽曲の属性を指定する情報であり、例えば楽曲名と歌手名（アーティスト名）とを含んで構成される。なお、例えば楽曲のジャンルや発売日等の属性を属性情報ＱAに含ませることも可能である。配信情報ＱBは、楽曲の音楽データＤの所在を識別するための情報であり、具体的には、通信システム１００内で音楽データＤを配信する配信装置１２の所在と配信装置１２内における音楽データＤの所在とを指定する。例えば、音楽データＤの購入用のサイトのＵＲＬ（Uniform Resource Locator）が配信情報ＱBとして関連情報Ｒ内に設定される。
【００３７】
図３の制御装置４１は、記憶装置４２に記憶されたプログラムＰSを実行することで、楽曲情報Ｑを管理するための複数の機能（取得部５１，抽出部５２，情報特定部５３，情報送信部５４）を実現する。なお、制御装置４１の各機能を複数の装置に分散することも可能である。
【００３８】
取得部５１は、端末装置１６に対する利用者からの指示に応じて設定された投稿メッセージＭを端末装置１６から通信装置４３を介して取得する。抽出部５２は、取得部５１が取得した投稿メッセージＭから１個以上の単語Ｗを抽出する。抽出部５２による単語Ｗの抽出には、例えば形態素解析等の公知の自然言語処理が任意に採用される。
【００３９】
情報特定部５３は、記憶装置４２に記憶された関連情報Ｒを参照することで、抽出部５２が抽出した単語Ｗに対応する１個の楽曲情報Ｑを特定する。１個の投稿メッセージＭから複数の単語Ｗが抽出された場合や関連情報Ｒにて１個の単語Ｗに複数の楽曲情報Ｑが重複して関連付けられている場合には、抽出部５２が抽出した単語Ｗから複数の楽曲情報Ｑが特定され得る。投稿メッセージＭ内の単語Ｗから複数の楽曲情報Ｑが特定される場合、情報特定部５３は、複数の楽曲情報Ｑから１個の楽曲情報Ｑを選択する。例えば、複数の楽曲情報Ｑからランダムに１個の楽曲情報Ｑを選択する構成や、複数の楽曲情報Ｑから所定の条件で１個の楽曲情報Ｑ（例えば発売日が最新である楽曲の楽曲情報Ｑや現時点で配信数が最大である楽曲の楽曲情報Ｑ）を選択する構成が好適である。
【００４０】
情報送信部５４は、情報特定部５３が特定した楽曲情報Ｑを投稿メッセージＭの送信元の端末装置１６に対して通信装置４３から送信する（図１のステップＳ2）。前述の通り、情報送信部５４が端末装置１６に送信した楽曲情報Ｑが投稿メッセージＭとともに投稿情報Ｃに含められて投稿管理装置１４に送信される。
【００４１】
＜投稿時の動作＞
任意の利用者（以下「投稿者」という）ＵAが投稿情報Ｃを編集および投稿する場面を想定し、投稿情報Ｃに関連して投稿者ＵAの端末装置１６と管理装置１０とが実行する具体的な動作（図５）を以下に説明する。端末装置１６の制御装置２１が記憶装置２２内のプログラムＰTを実行することでステップＴ1からステップＴ9までの各処理が実行され、管理装置１０の制御装置４１が記憶装置４２内のプログラムＰSを実行することでステップＳ1からステップＳ5までの各処理が実行される。
【００４２】
投稿情報Ｃの生成開始が入力装置２５に対する操作で投稿者ＵAから指示されると、端末装置１６の表示制御部３６は、図６の投稿画面ＧAを表示装置２４に表示させる（Ｔ1）。他方、設定部３１は、入力装置２５に対する投稿者ＵAからの指示に応じて投稿メッセージＭを設定する（Ｔ2）。投稿画面ＧAには、図６に示すように、設定部３１が設定した投稿メッセージＭと、投稿者ＵAが入力装置２５を使用して操作可能な操作子６１（楽曲付）および操作子６２（投稿）とが配置される。投稿メッセージＭの入力後に投稿者ＵAが操作子６１を操作すると、送信部３３は、設定部３１が設定した投稿メッセージＭを通信装置２３から管理装置１０に送信する（Ｔ3）。なお、投稿メッセージＭの一部のみを通信装置２３から管理装置１０に送信することも可能である。
【００４３】
管理装置１０の取得部５１は、端末装置１６から送信された投稿メッセージＭを取得する（Ｓ1）。抽出部５２は、取得部５１が取得した投稿メッセージＭから単語Ｗを抽出する（Ｓ2）。情報特定部５３は、記憶装置４２に記憶された関連情報Ｒを参照することで、抽出部５２が抽出した単語Ｗに関連付けられた楽曲情報Ｑを特定する（Ｓ3）。そして、情報送信部５４は、情報特定部５３が特定した楽曲情報Ｑを投稿メッセージＭの送信元の端末装置１６に送信する（Ｓ4）。
【００４４】
端末装置１６の情報取得部３２は、管理装置１０から送信されて通信装置２３が受信した楽曲情報Ｑを取得する（Ｔ4）。情報取得部３２が楽曲情報Ｑを取得すると、表示制御部３６は、図７の確認画面ＧBを表示装置２４に表示させる（Ｔ5）。確認画面ＧBは、図７に示すように確認領域ＧB1と操作領域ＧB2とを含んで構成される。確認領域ＧB1は、投稿者ＵAが投稿内容を投稿前に確認するための画像であり、設定部３１がステップＴ2で設定した投稿メッセージＭと、情報取得部３２がステップＴ4で取得した楽曲情報Ｑの属性情報ＱA（楽曲名および歌手名）とが配置される。投稿者ＵAは、確認領域ＧB1を確認することで、自身が入力した投稿メッセージＭの適否（修正の要否）と管理装置１０が特定した楽曲の適否（自身の投稿にて他の利用者に提示される楽曲として適切か否か）とを判断することが可能である。なお、属性情報ＱAの楽曲名および歌手名の各々の文字数が所定値（例えば１０文字）を上回る場合に超過分の文字の表示を省略することも可能である。
【００４５】
図７の操作領域ＧB2は、投稿者ＵAからの操作を受付ける領域であり、操作子６３と操作子６４と操作子６５とを含んで構成される。確認領域ＧB1を確認した結果、投稿メッセージＭの修正が必要であると判断した投稿者ＵAは、操作子６３（再編集）を操作する。投稿者ＵAが操作子６３を操作すると（Ｔ6：YES）、処理がステップＴ1に移行して図６の投稿画面ＧAが表示され、設定部３１が投稿メッセージＭの修正を受付ける状態に遷移する（Ｔ1，Ｔ2）。そして、修正後の投稿メッセージＭについて楽曲情報Ｑの特定および送信が実行される。
【００４６】
また、確認領域ＧB1を確認した結果、楽曲情報Ｑの変更が必要であると判断した投稿者ＵA（例えば自分の好みの楽曲ではないと判断した投稿者ＵA）は、図７の操作子６４（楽曲変更）を操作する。投稿者ＵAが操作子６４を操作すると（Ｔ7：YES）、送信部３３は、楽曲変更要求を管理装置１０に送信することで、管理装置１０が直前のステップＳ4で端末装置１６に送信した楽曲情報Ｑ（以下では特に「楽曲情報Ｑ1」と表記する場合がある）の変更を管理装置１０に対して要求する（Ｔ8）。
【００４７】
管理装置１０の通信装置４３が端末装置１６から楽曲変更要求を受信すると、情報特定部５３は、楽曲情報Ｑ1とは相違する楽曲情報Ｑ（以下では特に「楽曲情報Ｑ2」と表記する場合がある）を関連情報Ｒから特定する（Ｓ5）。すなわち、情報特定部５３は、ステップＳ1で取得部５１が取得した投稿メッセージＭ内の単語Ｗに対応する複数の楽曲情報Ｑのうち端末装置１６に送信済の楽曲情報Ｑ1以外の楽曲情報Ｑ2を特定する。すなわち、端末装置１６からの楽曲変更要求毎に相異なる楽曲情報Ｑが順次に特定される。情報送信部５４は、情報特定部５３がステップＳ5で特定した楽曲情報Ｑ2を投稿者ＵAの端末装置１６に送信する（Ｓ4）。
【００４８】
なお、例えば投稿メッセージＭ内の単語Ｗから１曲分の楽曲情報Ｑしか特定されない場合には、楽曲情報Ｑ1とは相違する楽曲情報Ｑ2を特定できない。以上のように楽曲情報Ｑを変更できない場合（１曲分の楽曲情報Ｑしか特定できない場合）に、情報送信部５４がその旨を端末装置１６に通知する構成も好適である。また、投稿メッセージＭ内の単語Ｗから複数の楽曲情報Ｑが特定される場合（楽曲情報Ｑの変更が可能である場合）にその旨を情報送信部５４から端末装置１６に通知し、この通知を受信した場合に限定して楽曲情報Ｑの変更処理（Ｔ7，Ｔ8）を端末装置１６が実行することも可能である。
【００４９】
端末装置１６の情報取得部３２は、楽曲変更要求に応じて特定された楽曲情報Ｑ2を取得し（Ｔ4）、表示制御部３６は、楽曲情報Ｑ2に応じた確認画面ＧBを表示装置２４に表示させる（Ｔ5）。以上のように投稿メッセージＭの変更（Ｔ6：YES）と楽曲情報Ｑの変更（Ｔ7：YES）とが利用者からの指示に応じて反復される。
【００５０】
自身が指示した投稿メッセージＭと管理装置１０が特定した楽曲情報Ｑとが適切であると判断した投稿者ＵAは、投稿内容を確定するための図７の操作子６５（投稿）を操作する。投稿者ＵAが操作子６５を操作すると、送信部３３は、直前のステップＴ2で設定部３１が設定した投稿メッセージＭと直前のステップＴ4で情報取得部３２が取得した楽曲情報Ｑと特定の参照情報（ハッシュタグ）Ｈとを含む投稿情報Ｃを生成して通信装置２３から投稿管理装置１４に送信する（Ｔ9）。参照情報Ｈは、投稿情報Ｃが楽曲情報Ｑを含むことを意味する符号である。投稿情報Ｃでは、例えば以下に例示する通り、投稿メッセージＭと参照情報Ｈと楽曲情報Ｑとの各々の間に特定の区分符号（例えばスペース文字）σが挿入される。また、楽曲情報Ｑ内の属性情報ＱAと配信情報ＱBとの間にも区分符号σが挿入される。
Ｃ＝Ｍ＋σ＋Ｈ＋σ＋ＱA＋σ＋ＱB
したがって、投稿情報Ｃ内の各区分符号σを境界として投稿メッセージＭと参照情報Ｈと楽曲情報Ｑとの各々（さらには楽曲情報Ｑ内の属性情報ＱAと配信情報ＱBとの各々）を投稿情報Ｃから区別することが可能である。端末装置１６から送信された投稿情報Ｃは投稿管理装置１４にて受信および記憶される。
【００５１】
なお、図６の投稿画面ＧAの操作子６２（投稿）を投稿者ＵAが操作した場合、楽曲情報Ｑに関連する処理（Ｔ3〜Ｔ8，Ｓ1〜Ｓ5）が実行されることなくステップＴ9の処理が実行される。すなわち、操作子６２が操作された場合、送信部３３は、設定部３１がステップＴ2で設定した投稿メッセージＭのみを含む投稿情報Ｃ（すなわち楽曲情報Ｑおよび参照情報Ｈを含まない投稿情報Ｃ）を通信装置２３から投稿管理装置１４に送信する。すなわち、投稿情報Ｃに楽曲情報Ｑを含めるか否かを投稿者ＵAが任意に選択することが可能である。
【００５２】
＜閲覧時の動作＞
以上の動作が反復されることで投稿管理装置１４には多数の利用者からの投稿情報Ｃが蓄積される。各端末装置１６の利用者は他の利用者の投稿情報Ｃを閲覧することが可能である。以下では、投稿管理装置１４に記憶された投稿情報Ｃを任意の利用者（以下「閲覧者」という）ＵBが閲覧する場合の端末装置１６の動作を説明する。
【００５３】
閲覧者ＵBは、自身が閲覧を希望する投稿情報Ｃの条件（以下「抽出条件」という）を入力装置２５の操作により指定したうえで投稿情報Ｃの取得を端末装置１６に指示することが可能である。投稿情報Ｃの取得が閲覧者ＵBから指示されると、端末装置１６の送信部３３は、抽出条件を含む投稿閲覧要求を通信装置２３から投稿管理装置１４に送信することで、抽出条件に合致した投稿情報Ｃを投稿管理装置１４に対して要求する。投稿閲覧要求を受信した投稿管理装置１４は、投稿閲覧要求で指定された抽出条件に合致する複数の投稿情報Ｃを記憶装置から検索し、検索された複数の投稿情報Ｃを要求元の端末装置１６に送信する。
【００５４】
端末装置１６の投稿取得部３４は、投稿管理装置１４から送信された複数の投稿情報Ｃを通信装置２３から取得する。投稿取得部３４が取得する複数の投稿情報Ｃには、管理装置１０が特定した楽曲情報Ｑと特定の参照情報Ｈとを投稿メッセージＭとともに含む投稿情報Ｃと、投稿メッセージＭのみを含む（楽曲情報Ｑや参照情報Ｈを含まない）投稿情報Ｃとが混在し得る。表示制御部３６は、投稿取得部３４が取得した各投稿情報Ｃを利用者が閲覧するための閲覧画面ＧCを表示装置２４に表示させる。
【００５５】
図８は、閲覧画面ＧCの模式図である。図８に示すように、閲覧画面ＧCは、投稿取得部３４が取得した複数の投稿情報Ｃを時系列に配置した画像（タイムライン）である。表示制御部３６は、投稿情報Ｃに参照情報Ｈが含まれるか否かを判定し、参照情報Ｈが含まれる場合には投稿情報Ｃ内の各区分符号σを参照することで楽曲情報Ｑを特定する。楽曲情報Ｑを含まない投稿情報Ｃ（図８における投稿者Ｙの投稿情報Ｃ）については投稿者の画像および名前と投稿メッセージＭとが配置される。他方、投稿メッセージＭとともに楽曲情報Ｑを含む投稿情報Ｃ（図８における投稿者Ｘや投稿者Ｚの投稿情報Ｃ）については、投稿者の画像および名前と投稿メッセージＭとに加えて操作子６６が配置される。操作子６６は、楽曲情報Ｑ内の属性情報ＱA（楽曲名および歌手名）を表示するとともに、楽曲情報Ｑ内の配信情報ＱBが指定する音楽データＤの配信元に対するリンクが設定されたリンクオブジェクト（コマンドボタン）である。
【００５６】
閲覧者ＵBが所望の楽曲情報Ｑに対応する操作子６６を操作すると、端末装置１６は、配信情報ＱBで指定された配信装置１２が提供する楽曲データＤの購入用のサイトにアクセスする。そして、認証処理や課金処理等を含む所定の購入手続の完了を条件として、閲覧者ＵBが指定した楽曲の音楽データＤが配信装置１２から端末装置１６に配信されて記憶装置２２に記憶される。
【００５７】
以上に説明した通り、第１実施形態では、投稿者ＵAからの指示に応じた投稿メッセージＭ内の単語Ｗに対応する楽曲情報Ｑが管理装置１０にて特定されて投稿者ＵAの端末装置１６からの投稿情報Ｃに含められる。したがって、投稿者ＵAが自身の投稿メッセージＭ内に楽曲情報Ｑ（楽曲名や歌手名）を含ませる手順を必要とせずに、楽曲情報Ｑを含む投稿情報Ｃを各閲覧者ＵBに提供することが可能である。すなわち、投稿者ＵAの負担を増加させることなく楽曲の音楽データＤの利用が促進されるという利点がある。また、第１実施形態では、各単語と各楽曲情報Ｑとを対応付けた関連情報Ｒを参照することで投稿メッセージＭ内の各単語Ｗに対応する楽曲情報Ｑが特定されるから、管理装置１０（情報特定部５３）が楽曲情報Ｑを容易に特定できるという利点もある。
【００５８】
＜第２実施形態＞
本発明の第２実施形態を以下に説明する。なお、以下に例示する各形態において作用や機能が第１実施形態と同様である要素については、第１実施形態の説明で参照した符号を流用して各々の詳細な説明を適宜に省略する。
【００５９】
第２実施形態では、投稿情報Ｃに含められる文字数が所定値Ｎに制限される。各端末装置１６の送信部３３は、投稿メッセージＭと楽曲情報Ｑとを含む投稿情報Ｃの文字数が所定値Ｎを上回る場合に、投稿メッセージＭと楽曲情報Ｑとを別個の投稿情報Ｃとして投稿管理装置１４に順次に送信する。具体的には、第２実施形態では、図５のステップＴ9が図９のステップＴ11からＴ14に置換される。
【００６０】
投稿内容の確定を指示する図７の操作子６５（投稿）を投稿者ＵAが操作すると（Ｔ7：NO）、送信部３３は、直前のステップＴ2で設定部３１が設定した投稿メッセージＭの文字数ＮMと、直前のステップＴ4で情報取得部３２が取得した楽曲情報Ｑの文字数ＮQ（属性情報ＱAの文字数と配信情報ＱBの文字数との合計）との合計値ＮCが所定値Ｎを上回るか否かを判定する（Ｔ11）。合計値ＮCが所定値Ｎ以下である場合（Ｔ11：NO）、送信部３３は、第１実施形態と同様に、投稿メッセージＭと楽曲情報Ｑとの双方を含む単一の投稿情報Ｃを投稿管理装置１４に送信する（Ｔ12）。
【００６１】
他方、合計値ＮCが所定値Ｎを上回る場合（Ｔ11：YES）、送信部３３は、投稿メッセージＭを含む投稿情報Ｃ1を投稿管理装置１４に送信し（Ｔ13）、投稿情報Ｃ1の送信後に、楽曲情報Ｑ（および参照情報Ｈ）を含む投稿情報Ｃ2を投稿管理装置１４に送信する（Ｔ14）。すなわち、投稿メッセージＭと楽曲情報Ｑとが別個の投稿情報Ｃとして投稿管理装置１４に順次に送信される。端末装置１６から送信された投稿情報Ｃ1と投稿情報Ｃ2とは投稿管理装置１４にて受信および記憶される。投稿情報Ｃ1と投稿情報Ｃ2とは同一の投稿者ＵAが相連続して投稿した関係にあるから、閲覧者ＵBが投稿者ＵAを抽出条件に指定して閲覧する場合、投稿情報Ｃ1と投稿情報Ｃ2とは相連続する投稿として閲覧画面ＧCに表示される。
【００６２】
第２実施形態においても第１実施形態と同様の効果が実現される。また、第２実施形態では、投稿情報Ｃの文字数の合計値ＮCが所定値Ｎを上回る場合に投稿メッセージＭと楽曲情報Ｑとが別個の投稿情報Ｃとして順次に送信されるから、投稿情報Ｃの文字数の制限の範囲内で投稿メッセージＭと楽曲情報Ｑとを適切に投稿管理装置１４に送信できるという利点がある。
【００６３】
なお、投稿情報Ｃのうち投稿メッセージＭ以外の要素が文字数Ｋ（Ｋ＜Ｎ）である場合に、投稿者ＵAが指定可能な投稿メッセージＭの文字数ＮMを{Ｎ−Ｋ}個に制限する構成も好適である。例えば第１実施形態の例示のように、投稿情報Ｃが、投稿メッセージＭと参照情報Ｈと属性情報ＱAと配信情報ＱBと各要素間の区分符号σ（合計３個）とで構成される場合を想定する。参照情報Ｈが７文字であり、属性情報ＱAが２１文字であり、配信情報ＱBが２０文字であり、１個分の区分符号σが１文字である場合を想定すると、投稿メッセージＭの文字数ＮMは、{Ｎ−５１}個（Ｋ＝７＋２１＋２０＋１＋１＋１＝５１）に制限される。また、楽曲情報Ｑを含まない投稿情報Ｃについては投稿メッセージＭの文字数ＮMをＮ個まで許容する一方、楽曲情報Ｑを含む投稿情報Ｃについては投稿メッセージＭの文字数ＮMを｛Ｎ−Ｋ｝個に制限することも可能である。
【００６４】
＜第３実施形態＞
図１０は、第３実施形態において任意の閲覧者ＵBの端末装置１６の再生部３５が楽曲を再生する場合の動作の説明図である。端末装置１６の再生部３５は、記憶装置２２に記憶された複数の音楽データＤのうち閲覧者ＵBが入力装置２５に対する操作で選択した音楽データＤが示す楽曲（以下「再生楽曲」という）の再生を開始する（Ｔ21）。第３実施形態の音楽データＤには、楽曲の再生中に表示装置２４に表示される楽曲画像（静止画または動画像）が付加される。再生部３５による再生楽曲の再生が開始すると、表示制御部３６は、再生楽曲の楽曲画像を表示装置２４に表示させる（Ｔ22）。
【００６５】
また、再生部３５が再生楽曲の再生を開始すると、送信部３３は、再生楽曲に関連する投稿情報Ｃを要求する投稿閲覧要求を投稿管理装置１４に送信する（Ｔ23）。投稿閲覧要求では、再生楽曲の属性情報ＱAが抽出条件として指定される。属性情報ＱAは、音楽データＤ内のメタデータから抽出された楽曲名および歌手名を含む。投稿閲覧要求を受信した投稿管理装置１４は、投稿閲覧要求で指定された属性情報ＱAを含む複数の投稿情報Ｃ（すなわち、管理装置１０が特定した楽曲情報Ｑを投稿メッセージＭに付加した投稿情報Ｃ）を検索して要求元の端末装置１６に送信する。
【００６６】
端末装置１６の投稿取得部３４は、投稿管理装置１４から送信された複数の投稿情報Ｃを取得する（Ｔ24）。表示制御部３６は、投稿取得部３４が取得した各投稿情報Ｃの投稿メッセージＭを楽曲画像とともに表示装置２４に順次に表示させる（Ｔ25）。すなわち、再生楽曲の楽曲画像を背景として再生楽曲に関連する複数の投稿メッセージＭが順次に表示される。
【００６７】
第３実施形態においても第１実施形態と同様の効果が実現される。また、第３実施形態では、再生楽曲に関連する投稿メッセージＭが投稿管理装置１４にて検索されて端末装置１６に提供されるから、閲覧者ＵBが再生楽曲を抽出条件として指定する手順を必要とせずに、再生楽曲に関連する投稿メッセージＭを閲覧者ＵBが閲覧できるという利点がある。なお、第３実施形態の構成は、第１実施形態および第２実施形態の何れにも適用される。
【００６８】
＜第４実施形態＞
図１１は、第４実施形態において投稿者ＵAの端末装置１６と管理装置１０とが実行する動作の説明図である。第１実施形態で参照した図５の動作が図１１の動作に置換される。
【００６９】
投稿者ＵAの端末装置１６において、第１実施形態と同様に、設定部３１が投稿メッセージＭを設定し（Ｔ1，Ｔ2）、送信部３３が投稿メッセージＭを管理装置１０に送信する（Ｔ3）。管理装置１０の取得部５１は、端末装置１６から投稿メッセージＭを取得する（Ｓ1）。抽出部５２は、投稿メッセージＭ内の各単語Ｗを抽出し（Ｓ2）、情報特定部５３は、記憶装置４２内の関連情報Ｒを参照することで各単語Ｗに対応する楽曲情報Ｑを特定する（Ｓ3）。
【００７０】
管理装置１０の情報送信部５４は、ステップＳ1で取得部５１が取得した投稿メッセージＭとステップＳ3で情報特定部５３が特定した楽曲情報Ｑとを含む投稿情報Ｃを生成して通信装置４３から投稿管理装置１４に送信する（Ｓ4）。投稿情報Ｃには、投稿者ＵAの識別情報が含められる。情報送信部５４から送信された投稿情報Ｃは投稿管理装置１４にて受信および記憶される。
【００７１】
以上の説明から理解される通り、第４実施形態では、投稿者ＵAによる楽曲情報Ｑの確認および修正が実行されることなく、管理装置１０が特定した楽曲情報Ｑを含む投稿情報Ｃが投稿管理装置１４に送信される。したがって、端末装置１６にて管理装置１０から楽曲情報Ｑを取得する動作（情報取得部３２）や端末装置１６から管理装置１０に楽曲情報Ｑの変更を要求する動作は省略される。第４実施形態においても第１実施形態と同様の効果が実現される。なお、第４実施形態の構成は、第２実施形態や第３実施形態にも同様に適用される。
【００７２】
なお、第１実施形態では、管理装置１０が特定した楽曲情報Ｑが投稿者ＵAの端末装置１６に送信され、投稿者ＵAが楽曲情報Ｑを確認してから投稿情報Ｃが投稿管理装置１４に送信される。したがって、投稿者ＵAが意図しない楽曲（例えば投稿者ＵAの嗜好や意図に合致しない楽曲）の楽曲情報Ｑが投稿者ＵAの投稿情報Ｃに含められて各閲覧者ＵBに閲覧される可能性を低減できるという利点がある。第１実施形態では特に、管理装置１０にて特定された楽曲情報Ｑが利用者からの指示に応じて変更されるから、投稿者ＵAが意図しない楽曲が投稿情報Ｃに含められる可能性を低減できるという効果は格別に顕著である。
【００７３】
＜変形例＞
以上に例示した各形態は多様に変形され得る。具体的な変形の態様を以下に例示する。以下の例示から任意に選択された２以上の態様は相互に矛盾しない範囲で適宜に併合され得る。
【００７４】
（１）投稿メッセージＭ内の単語Ｗに対応する複数の楽曲情報Ｑから１個の楽曲情報Ｑを特定する方法は任意である。例えば、楽曲情報Ｑの選択に使用される選択情報を端末装置１６から管理装置１０に送信し、投稿メッセージＭ内の単語Ｗに対応する複数の楽曲情報Ｑのうち選択情報に応じた１個の楽曲情報Ｑを情報特定部５３が特定する構成も好適である。楽曲情報Ｑの選択基準となる選択情報としては、例えば、投稿者ＵAの嗜好を示す嗜好情報や、端末装置１６における楽曲の再生履歴、記憶装置２２に記憶された楽曲データＤのリスト等が例示され得る。嗜好情報を選択情報として利用した場合、単語Ｗに対応する複数の楽曲情報Ｑのうち投稿者ＵAの嗜好に合致した楽曲の楽曲情報Ｑが選択される。また、再生履歴を選択情報として利用する場合、過去の再生回数が多い楽曲に関連する楽曲（例えば歌手やジャンルが共通する楽曲）の楽曲情報Ｑが選択され、楽曲データＤのリストを選択情報として利用する場合、リスト内の楽曲に関連する楽曲（例えば歌手やジャンルが共通する楽曲）の楽曲情報Ｑが選択される。
【００７５】
投稿メッセージＭ内の単語Ｗに対応する複数の楽曲情報Ｑの何れかを端末装置１６の利用者（投稿者ＵA）に選択させることも可能である。すなわち、管理装置１０の情報送信部５４は、情報特定部５３が投稿メッセージＭ内の単語Ｗから特定した複数の楽曲情報Ｑを投稿者ＵAの端末装置１６に送信する。投稿者ＵAの端末装置１６の情報取得部３２は、管理装置１０から複数の楽曲情報Ｑを取得し、複数の楽曲情報Ｑのうち入力装置２５の操作で利用者が選択した楽曲情報Ｑ（すなわち利用者からの指示に応じた楽曲情報Ｑ）を選択する。以上の構成によれば、投稿者ＵAの所望の楽曲が特定されるまで管理装置１０による楽曲情報Ｑの送信（Ｓ4）および変更（Ｓ5）を反復する必要がないという利点がある。他方、第１実施形態のように単語Ｗに対応する複数の楽曲情報Ｑの何れかを管理装置１０の情報特定部５３が選択する構成によれば、投稿者ＵAが楽曲情報Ｑを複数の候補から選択する負担を軽減できるという利点がある。
【００７６】
また、端末装置１６が管理装置１０から複数の楽曲情報Ｑを取得する構成では、端末装置１６の情報取得部３２が複数の楽曲情報Ｑの何れかを所定の方法で選択することも可能である。具体的には、情報取得部３２が複数の楽曲情報Ｑからランダムに１個の楽曲情報Ｑを選択する構成が好適である。以上の構成によれば、端末装置１６による楽曲変更要求の送信（Ｔ8）や管理装置１０による楽曲情報Ｑの送信（Ｓ4）および変更（Ｓ5）を反復する必要がないという利点がある。
【００７７】
例えば、情報取得部３２は、管理装置１０から通知された複数の楽曲情報Ｑをランダムな順番に配列したリスト（以下「楽曲リスト」という）を生成し、投稿者ＵAによる楽曲変更の指示毎に、楽曲リスト内の各楽曲情報Ｑを配列の順番で順次に選択する。すなわち、情報取得部３２は、特定の楽曲情報Ｑ1の選択後に投稿者ＵAが楽曲変更を指示すると、楽曲情報Ｑ1とは相違する楽曲情報Ｑ2を選択する。表示制御部３６は、情報取得部３２が選択した楽曲情報Ｑを投稿者ＵAに提示する図７の確認画面ＧBを表示装置２４に表示させる。楽曲リスト内の全部の楽曲情報Ｑが投稿者ＵAに提示されると、表示制御部３６は、楽曲情報Ｑの全候補を提示したことを投稿者ＵAに報知し、情報取得部３２は、楽曲リスト内の各楽曲情報Ｑを逆順で順次に選択する。以上の構成によれば、投稿者ＵAに提示される楽曲情報Ｑの重複を回避しながら楽曲情報Ｑを変更することが可能である。
【００７８】
（２）前述の各形態では、投稿メッセージＭに対応する単語Ｗを管理装置１０の抽出部５２が抽出したが、単語Ｗの抽出を端末装置１６にて実行する構成も採用され得る。具体的には、図１２に示すように、端末装置１６の制御装置２１は、前述の各形態と同様の要素（設定部３１および送信部３３等）に加えて抽出部３７として機能する。抽出部３７は、設定部３１が設定した投稿メッセージＭから単語Ｗを抽出する。送信部３３は、抽出部３７が抽出した単語Ｗを管理装置１０に送信する。管理装置１０の取得部５１は、端末装置１６から送信された単語Ｗを取得し、情報特定部５３は、取得部５１が取得した単語に対応する楽曲情報Ｑを特定する。第１実施形態における管理装置１０内の抽出部５２は省略される。以上の構成においても第１実施形態と同様の効果が実現される。なお、第１実施形態のように抽出部５２を管理装置１０に設置した構成では、各単語Ｗの抽出が管理装置１０にて集中的に実行されるから、投稿メッセージＭから単語Ｗを抽出する機能（抽出部３７）を各端末装置１６に搭載する必要がないという利点がある。
【００７９】
（３）第２実施形態では、投稿メッセージＭの文字数ＮMと楽曲情報Ｑの文字数ＮQとの合計値ＮCが所定値Ｎを上回るか否かを判定したが、投稿メッセージＭの文字数ＮMが大きい場合には合計値ＮCが所定値Ｎを上回る可能性が高いことを考慮すると、投稿メッセージＭの文字数ＮMが所定値Ｎa（Ｎa＜Ｎ）を上回るか否かをステップＴ11にて判定する構成も採用される。投稿メッセージＭの文字数ＮMが所定値Ｎaを上回る場合に、投稿メッセージＭを含む投稿情報Ｃ1と楽曲情報Ｑを含む投稿情報Ｃ2とが個別に投稿管理装置１４に送信される。
【００８０】
（４）前述の各形態では、投稿メッセージＭの単語Ｗに対応する楽曲情報Ｑを特定したが、投稿メッセージＭの単語Ｗから特定される情報は楽曲（音楽）に関連する情報に限定されない。例えば、映画等の映像作品の動画像や電子書籍等のコンテンツに関連する情報（コンテンツ情報）を投稿メッセージＭ内の単語Ｗから特定する構成も採用され得る。すなわち、前述の各形態における楽曲情報Ｑは、楽曲（音楽）に加えて動画像や電子書籍等を包括するコンテンツに関するコンテンツ情報の一例であり、前述の各形態における音楽データＤは、コンテンツを示すコンテンツデータの一例である。動画像のコンテンツ情報の属性情報ＱAとしては動画像の題名や製作者等が例示され、電子書籍のコンテンツ情報の属性情報ＱAとしては書籍名や書籍コード（ＩＳＢＮ：International Standard Book Number）等が例示される。また、動画像や電子書籍等のコンテンツ情報の配信情報ＱBは、前述の各形態の配信情報ＱBと同様に、動画像データや電子書籍データ等のコンテンツデータの所在（例えば購入用のサイトのＵＲＬ）を示す情報である。以上の説明から理解されるように、前述の各形態における管理装置１０は、投稿メッセージＭ内の単語Ｗに対応するコンテンツ情報を特定する装置として包括される。
【符号の説明】
【００８１】
１００……通信システム、１０……管理装置、１２……配信装置、１４……投稿管理装置、１６……端末装置、２１……制御装置、２２……記憶装置、２３……通信装置、２４……表示装置、２５……入力装置、２６……放音装置、３１……設定部、３２……情報取得部、３３……送信部、３４……投稿取得部、３５……再生部、３６……表示制御部、３７……抽出部、４１……制御装置、４２……記憶装置、４３……通信装置、５１……取得部、５２……抽出部、５３……情報特定部、５４……情報送信部。
【図１】
2014032520.tif 000003
【図２】
2014032520.tif 000004
【図３】
2014032520.tif 000005
【図４】
2014032520.tif 000006
【図５】
2014032520.tif 000007
【図６】
2014032520.tif 000008
【図７】
2014032520.tif 000009
【図８】
2014032520.tif 000010
【図９】
2014032520.tif 000011
【図１０】
2014032520.tif 000012
【図１１】
2014032520.tif 000013
【図１２】
2014032520.tif 000014